(57)【特許請求の範囲】
【請求項１】
玉ねぎの根切り作業を行うためのデバイダであって、
デバイダの進行方向に向かって収束するように配置された状態で回転可能に支持された複数基のローラを有するローラ・ユニットを備えていることを特徴とするデバイダ。
【請求項２】
１又は複数本の先導ローラを更に備え、
前記先導ローラが、デバイダの長さ方向中心線上における前記ローラ・ユニットの前端より前方の位置で且つ前記ローラ・ユニットの前端の高さとほぼ同じ高さの箇所から、前記ローラ・ユニットの後端の上方の箇所まで延び、回転可能に取り付けられていることを特徴とする請求項１に記載されたデバイダ。
【請求項３】
１又は複数本の先導ローラを更に備え、
前記先導ローラが、デバイダの長さ方向中心線上における前記ローラ・ユニットの前端より前方の位置で且つ前記ローラ・ユニットの前端の高さとほぼ同じ高さの第１箇所から、前記ローラ・ユニットの後端の上方の第２箇所まで延びた線上において、前記第１箇所と前記第２箇所との間の中間箇所から前記第１箇所まで延び、回転可能に取り付けられていることを特徴とする請求項１に記載されたデバイダ。
【請求項４】
前記ローラ・ユニットの先端に配置された、ほぼ円錐形又はｎ角錐形（ｎ≧３）の先端部を更に備えていることを特徴とする請求項１から請求項３までのいずれか１項に記載されたデバイダ。
【請求項５】
前記先導ローラの先端に、前記先端の方へ向かって収束するように配置された、複数本のそらせ用鉄棒が配置されていることを特徴とする請求項２から請求項４までのいずれか１項に記載されたデバイダ。
【請求項６】
玉ねぎの根切り作業を行うためのデバイダであって、
先端がデバイダの進行方向に配向され、円錐形に形作られた円錐構造体と、
前記円錐構造体の外面に回転可能に取り付けられた１又は複数基のローラとを備えていることを特徴とするデバイダ。
【請求項７】
玉ねぎの根切り作業を行うためのデバイダであって、
ローラ・ユニットを備え、
前記ローラ・ユニットが、デバイダの中央軸線方向に延びるように中央に回転可能に支持された単一のローラと、デバイダの進行方向に向かって収束するように前記ローラの両側に配置されたそらせ用鉄棒とを有していることを特徴とするデバイダ。
【請求項８】
前記ローラ・ユニットの先端に配置された、ほぼ円錐形又はｎ角錐形（ｎ≧３）の先端部を更に備えていることを特徴とする請求項７に記載されたデバイダ。
【請求項９】
地面に設置するそりを更に備えていることを特徴とする請求項１から請求項８までのいずれか１項に記載されたデバイダ。
【発明の詳細な説明】
【技術分野】
【０００１】
本考案は一般に、デバイダに関する。より詳細には、本考案は、玉ねぎの収穫作業において根切りを効率的に行うことができるデバイダに関する。
【背景技術】
【０００２】
玉ねぎの収穫作業においては、玉ねぎの根や葉を切る根切り作業も実施される。玉ねぎの根切り作業は通常、根切り機を用いて行われるが、作業の際、玉ねぎの葉が風で倒れたり、或いは熟して葉が枯れたりして根切り機の通路を覆ってしまうため、葉が絡みつき、作業の中断を余儀なくされる場合が多い。とりわけ、降雨の後などでは、玉ねぎの水分が多くなるため、一層絡み易くなり、作業ロスが非常に大きくなりがちである。
【０００３】
根切り機として、従来、先端が尖ったデバイダをトラクタに連結して、根切り作業を実施している例が数多く見られる。
【発明の開示】
【発明が解決しようとする課題】
【０００４】
しかしながら、上述の従来の根切り機では、通路に落ちた玉ねぎをトラクタで踏みつけてしまうという弊害があった。また、その他の根切り機も、葉が絡みつく等して、作業効率が悪いという弊害があった。
【０００５】
本発明は、このような状況に鑑みて案出されたものであって、玉ねぎの収穫作業において効率的な根切り作業を可能にするデバイダを提供することを目的としている。
【課題を解決するための手段】
【０００６】
本願請求項１に記載のデバイダは、デバイダの進行方向に向かって収束するように配置された状態で回転可能に支持された複数基のローラを有するローラ・ユニットを備えていることを特徴とするものである。
【０００７】
本願請求項２に記載のデバイダは、前記請求項１のデバイダにおいて、１又は複数本の先導ローラを更に備え、前記先導ローラが、デバイダの長さ方向中心線上における前記ローラ・ユニットの前端より前方の位置で且つ前記ローラ・ユニットの前端の高さとほぼ同じ高さの箇所から、前記ローラ・ユニットの後端の上方の箇所まで延び、回転可能に取り付けられていることを特徴とするものである。
【０００８】
本願請求項３に記載のデバイダは、前記請求項１のデバイダにおいて、１又は複数本の先導ローラを更に備え、前記先導ローラが、デバイダの長さ方向中心線上における前記ローラ・ユニットの前端より前方の位置で且つ前記ローラ・ユニットの前端の高さとほぼ同じ高さの第１箇所から、前記ローラ・ユニットの後端の上方の第２箇所まで延びた線上において、前記第１箇所と前記第２箇所との間の中間箇所から前記第１箇所まで延び、回転可能に取り付けられていることを特徴とするものである。
【０００９】
本願請求項４に記載のデバイダは、前記請求項１から請求項３までのいずれか１項に記載のデバイダにおいて、前記ローラ・ユニットの先端に配置された、ほぼ円錐形又はｎ角錐形（ｎ≧３）の先端部を更に備えていることを特徴とするものである。
【００１０】
本願請求項５に記載のデバイダは、前記請求項２から請求項４までのいずれか１項に記載のデバイダにおいて、前記先導ローラの先端に、前記先端の方へ向かって収束するように配置された、複数本のそらせ用鉄棒が配置されていることを特徴とするものである。
【００１１】
本願請求項６に記載のデバイダは、先端がデバイダの進行方向に配向され、円錐形に形作られた円錐構造体と、前記円錐構造体の外面に回転可能に取り付けられた１又は複数基のローラとを備えていることを特徴とするものである。
【００１２】
本願請求項７に記載のデバイダは、ローラ・ユニットを備え、前記ローラ・ユニットが、デバイダの中央軸線方向に延びるように中央に回転可能に支持された単一のローラと、デバイダの進行方向に向かって収束するように前記ローラの両側に配置されたそらせ用鉄棒とを有していることを特徴とするものである。
【００１３】
本願請求項８に記載のデバイダは、前記請求項７のデバイダにおいて、前記ローラ・ユニットの先端に配置された、ほぼ円錐形又はｎ角錐形（ｎ≧３）の先端部を更に備えていることを特徴とするものである。
【００１４】
本願請求項９に記載のデバイダは、前記請求項１から請求項８までのいずれか１項に記載のデバイダにおいて、地面に設置するそりを更に備えていることを特徴とするものである。
【発明の効果】
【００１５】
本発明によれば、玉ねぎの収穫作業に際して、根切り作業を効率的に実施することができる。とりわけ、先導ローラを取り付けることにより、玉ねぎの葉の掻き分けを一層容易に行うことが可能になる。本発明のデバイダは、構造が簡単であるため、製造コストが廉価であり、故障するおそれも少ないため、メンテナンスコストを安価に保持することができる。
【発明を実施するための最良の形態】
【００１６】
次に添付図面を参照して、本発明の好ましい実施の形態に係るデバイダについて詳細に説明する。図１は、本発明の第１の実施の形態に係るデバイダを示した斜視図、図２は、図１のデバイダの側面図である。図１および図２において全体として参照符号１０で示される本発明の第１の実施の形態に係るデバイダは、ローラ・ユニット１２を備えている。
【００１７】
図３（ａ）は、ローラ・ユニット１２を示した拡大斜視図、図３（ｂ）は、図３（ａ）の分解斜視図である。ローラ・ユニット１２は、デバイダ１０の進行方向に向かって収束するように配置された４基の細長いローラ１４と、４基のローラ１４を回転可能に支持するための前方支持具１６および後方支持具１８とを有している。
【００１８】
前方支持具１６および後方支持具１８には、図３に示されるように、ローラ１４をデバイダ１０の進行方向に向かって収束するように配置された状態で回転可能に支持することができるように、４基の軸受１６ａ、１８ａがそれぞれ配置されている。なお、前方支持具１６および後方支持具１８は、ローラ１４を進行方向に向かって収束するように配置された状態で回転可能に支持することができるものであれば、他の任意の形状に形作ってもよい。
【００１９】
ローラ１４は、任意の適当な材料で形成してよいが、作業性を考慮して、アルミニウムのような軽量材料で形成するのが好ましい。
【００２０】
デバイダ１０は又、ローラ・ユニット１２の先端に配置された、ほぼ円錐形の先端部２０を備えている。ここで、ローラ・ユニット１２の「先端」とは、デバイス１０の進行方向の側を意味する。先端部２０は、根切り作業の際に玉ねぎの葉や根を掻き分ける役目を果たす。先端部２０は、ほぼ円錐形の形状を有するものとして図示されているが、ｎ角錐（ｎ≧３）の形状に形作ってもよい。
【００２１】
なお、図１および図２において、参照符号２２、２４は、車輪、作業者用ハンドルをそれぞれ示している。車輪２２の形状、個数、配置箇所や作業用ハンドル２４の形状等は、単なる例示的に示したものにすぎず、他の形状等にしてもよい。
【００２２】
ローラ・ユニット１２は、上述のように、４基のローラ１４を有しているが、４基以外の複数基のローラを有するように構成してもよい（図４（ａ）、図４（ｂ）参照）。例えば、平面視で進行方向に向かって収束するように配置された２基のローラ１４を有するように構成してもよい（そのように構成した場合には、側面視では一方のローラしか見ることができない）。
【００２３】
好ましくは、デバイダ１０は、根切り作業の際に転げ落ちた玉ねぎを車輪２２で踏みつけないように、図５（ａ）に示されるように、ローラ・ユニット１２の下方に、一対のそらせ板２６が配置されている。各そらせ板２６は、デバイダ１０の中心軸線Ｘ−Ｘに対して平面視で鋭角度αをなすように（換言すると、一対のそらせ板２６が、前端２６ａから後端２６ｂに向かって平面視で発散するように）に配列されている（図５（ｂ）参照）。そらせ板２６の形状や材質は、転げ落ちた玉ねぎを車輪２２の軌道から逸らせることができれば、任意のものを選定してよい。なお、図５（ａ）において参照符号２７は、玉ねぎの葉を掻き分けるためのそらせ用鉄棒を示している。
【００２４】
また、好ましくは、デバイダ１０は、根切り作業の際にデバイダ１０を押し易いように、そり２８を備えている（図６参照）。
【００２５】
図７は、デバイダ１０を使用して根切り作業を行っている状態を模式的に示した図（作業者は図示せず）である。根切り作業を行うに際しては、デバイダ１０を圃場に配置し、作業用ハンドル２４を把持してデバイダ１０を押していくと、先端部２０によって掻き分けられた玉ねぎの葉がローラ１４に接触する。デバイダ１０を更に押すと、接触している玉ねぎの葉との摩擦のため各ローラ１４が回転し、ローラ１４が進行方向に向かって収束するように（換言すると、進行方向と反対方向に向かって発散するように）配置されているので、玉ねぎの葉が左右に掻き分けられることとなる。なお、そらせ板２６が配置されていると、玉ねぎを車輪２２で踏みつけることを回避することができる。また、そり２８を備えている場合には、デバイダ１０を円滑に押すことができるので、一層効率的に作業することができる。
【００２６】
図８は、本発明の第２の実施の形態に係るデバイダを示した斜視図、図９は、図８のデバイダの側面図である。図８および図９において全体として参照符号３０で示される本発明の第２の実施の形態に係るデバイダは、先導ローラ４９を備えている点を除いて、第１実施の形態に係るデバイダ１０と実質的に同一の構成を有している。
【００２７】
より詳細に説明すると、デバイダ３０は、デバイダ３０の進行方向に向かって収束するように配置された４基の細長いローラ３４とローラ３４を回転可能に支持するための前方支持具（図示せず）および後方支持具３８とを有するローラ・ユニット３２と、先導ローラ４９とを備えている。先導ローラ４９は、デバイダ３０の長さ方向中心線Ｘ上におけるローラ・ユニット３２の前端より前方の位置で且つローラ・ユニット３２の前端の高さとほぼ同じ高さの箇所Ａから、ローラ・ユニット３２の後端の上方の箇所Ｂまで延び（図９参照）、回転可能に取り付けられている。先導ローラ４９は、根切り作業の際、玉ねぎの葉を掻き分けて、玉ねぎの葉がローラ・ユニット３２に案内されやすいようにする役目を果たす。先導ローラ４９を設けることにより、玉ねぎの葉の掻き分けを一層容易にすることができるため、より効率的な根切り作業が可能になる。
【００２８】
図８において参照符号４０、４２、４４は、先端部、車輪、作業用ハンドルをそれぞれ示している。
【００２９】
図１０は、デバイダ３０の変形形態を示した斜視図である。図１０に示されるデバイダ３０は、２本の先導ローラ４９が取り付けられている点を除いて、図８および図９に示したデバイダ３０と実質的に同一の構成を有している。先導ローラ４９の取り付け本数を３本以上にしてもよい。複数の先導ローラ４９を取り付ける場合には、先導ローラ４９が進行方向に向かって収束するように配置するのが好ましい（図１０（ｂ）参照）。なお、先導ローラ４９の先端に円錐形の部材４９ａが取り付けられているが、部材４９ａは、例示的なものにすぎない。また、先導ローラ４９の後方支持具４９ｂも、図示された形状に限定されるものではない。さらに、先導ローラ４９の先端に、先端方向に収束するように配置された、複数本のそらせ用鉄棒４８を取り付けてもよい（図８（ｃ）参照）。
【００３０】
図１１は、本発明の第３の実施の形態に係るデバイダを示した斜視図、図１２は、図１１のデバイダの側面図である。図１１および図１２において全体として参照符号５０で示される本発明の第３の実施の形態に係るデバイダは、先導ローラ６９の長さがデバイダ３０の先導ローラ４９よりも短い点を除いて、第２実施の形態に係るデバイダ３０と実質的に同一の構成を有している。
【００３１】
すなわち、デバイダ５０は、デバイダ５０の進行方向に向かって収束するように配置された４基の細長いローラ５４とローラ５４を回転可能に支持するための前方支持具（図示せず）および後方支持具５８とを有するローラ・ユニット５２と、先導ローラ６９とを備えている。先導ローラ６９は、デバイダ５０の長さ方向中心線Ｘ′上におけるローラ・ユニット５２の前端より前方の位置で且つローラ・ユニット５２の前端の高さとほぼ同じ高さの箇所Ａ′から、ローラ・ユニット５２の後端の上方の箇所Ｂ′まで延びた線上において、箇所Ａ′と箇所Ｂ′との間の中間箇所Ｃから箇所Ａ′まで延び（図１２参照）、回転可能に取り付けられている。先導ローラ６９は、先導ローラ４９と同様の役目を果たす。
【００３２】
また、デバイダ５０の先導ローラ６９の取り付け本数を複数本にしてもよい（図１３では、２本の先導ローラ６９が取り付けられている場合を図示）。デバイダ３０の場合と同様に、先導ローラ６９の先端に円錐形の部材６９ａを取り付けてもよいし、他の形態の部材を取り付けてもよい。また、先導ローラ６９の後方支持具６９ｂは、例示的なものにすぎない。さらに、先導ローラ６９の先端に、先端方向に収束するように配置された、複数本のそらせ用鉄棒（図示せず）を取り付けてもよい。
【００３３】
図１４は、本発明の第４の実施の形態に係るデバイダを示した図である。図１４において全体として参照符号７０で示される本発明の第４の実施の形態に係るデバイダは、先端が進行方向に配向され、円錐形に形作られた円錐構造体７２と、デバイダ７０の長さ方向中心軸線上に沿って、円錐構造体７２の外面上部に回転可能に取り付けられたローラ７４とを備えている。なお、図１４において参照符号７６、７８、８０は、円錐構造体７２の後端に配置されたそらせ用鉄棒、車輪、作業用ハンドルをそれぞれ示している。
【００３４】
図１５は、デバイダ７０の変形形態を示した図である。図１５に示されるデバイダ７０は、円錐構造体７２の外面に３基のローラ７４が回転可能に取り付けられている点を除いて、図１４に示されるデバイダ７０と実質的に同一の構成を有している。
【００３５】
なお、円錐構造体７２の外面へのローラ７４の取り付け基数は、２本でもよいし、或いは４本以上でもよい。複数のローラ７４を取り付ける場合には、各ローラ７４の長さ方向軸線が円錐構造体７２の先端に差し向けられるようにするのが好ましい。また、円錐構造体７２の後端に、デバイダ７０の進行方向に向かって収束するようにそらせ用鉄棒７６を設けてもよい。
【００３６】
デバイダ７０の使用も、デバイダ１０、３０、５０の使用と実質的に同一である。すなわち、デバイダ７０を圃場に配置し、作業用ハンドル８０を把持してデバイダ７０を押していくと、玉ねぎの葉が、円錐構造体７２の先端によって掻き分けられた後、ローラ７４によって更に側方にそらされることによって、効率的に根切り作業を行うことができる。
【００３７】
本発明は、以上の発明の実施の形態に限定されることなく、特許請求の範囲に記載された発明の範囲内で、種々の変更が可能であり、それらも本発明の範囲内に包含されるものであることはいうまでもない。
【００３８】
たとえば、前記第１〜第３の実施の形態では、ローラ・ユニット１２が複数基のローラ１４を有するものとして示されているが、図１６（ａ）に示されるようなローラ・ユニット１２′を構成してもよい。すなわち、ローラ・ユニット１２′は、デバイダの中央軸線方向に延びるように中央に回転可能に支持された単一のローラ１４′と、デバイダの進行方向に向かって収束するように（換言すると、進行方向と反対方向に向かって発散するように）、ローラ１４′の両側に配置されたそらせ用鉄棒２７′とを有している。図１６（ｂ）は、ローラ・ユニット１２′を備えたデバイダを示した斜視図である。
【００３９】
また、ローラ１４は、円柱形の材料を使用してもよいし、円筒形（パイプ状）の材料を使用してもよい。
【００４０】
また、デバイダ３０、５０にも、デバイダの進行方向に向かって収束するようにローラの両側に配置されたそらせ用鉄棒を設けてもよい。
【００４１】
さらに、前記実施の形態に示されているデバイダは、作業用ハンドル２４、４４、６４、８０を把持した作業者がデバイダを押して値切り作業を行う手動式のものであるが、デバイダをトラクタ等の駆動式農機具に連結して作業を行うように構成してもよい。
【図面の簡単な説明】
【００４２】
【図１】本発明の第１の実施の形態に係るデバイダを示した斜視図である。
【図２】図１のデバイダの側面図である。
【図３】図３（ａ）は、図１のデバイダのローラ・ユニットを示した拡大斜視図、図３（ｂ）は、図３（ａ）のローラ・ユニットの分解斜視図である。
【図４】図４（ａ）および図４（ｂ）は、ローラ・ユニットの変形形態を示した図である。
【図５】図５（ａ）は、図１のデバイダにおいて、そらせ板を備えた形態を示した斜視図、図５（ｂ）は、図５（ａ）の平面図である。
【図６】図１のデバイダにおいて、そりを備えた形態を示した斜視図である。
【図７】図１のデバイダを使用して根切り作業を行っている状態を模式的に示した図である。
【図８】図８（ａ）は、本発明の第２の実施の形態に係るデバイダを示した斜視図、図８（ｂ）は、図８（ａ）の平面図（ローラユニットおよび先導ローラのみ図示）、図８（ｃ）は、そらせ用鉄棒が配置された、図８（ｂ）と同様の図である。
【図９】図８（ａ）のデバイダの側面図である。
【図１０】図１０（ａ）は、図８（ａ）のデバイダにおいて２本の先導ローラを備えた形態を示した斜視図、図１０（ｂ）は、図１０（ａ）の平面図（ローラユニットおよび先導ローラのみ図示）である。
【図１１】図１１（ａ）は、本発明の第３の実施の形態に係るデバイダを示した斜視図、図１１（ｂ）は、図１１（ａ）の平面図（ローラユニットおよび先導ローラのみ図示）である。
【図１２】図１１（ａ）のデバイダの側面図である。
【図１３】図１３（ａ）は、図１１（ａ）のデバイダにおいて２本の先導ローラを備えた形態を示した斜視図、図１３（ｂ）は、図１１（ａ）の平面図（ローラユニットおよび先導ローラのみ図示）である。
【図１４】図１４（ａ）は、本発明の第４の実施の形態に係るデバイダを示した側面図、図１４（ｂ）は、図１４（ａ）の線１４ｂ−１４ｂに沿って見た平面図である。
【図１５】図１５（ａ）は、図１４（ａ）のデバイダの変形形態を示した側面図、図１５（ｂ）は、図１５（ａ）の線１５ｂ−１５ｂに沿って見た平面図である。
【図１６】図１６（ａ）は、変形形態に係るローラ・ユニットを示した斜視図、図１６（ｂ）は、図１６（ａ）のローラ・ユニットを備えたデバイダを示した斜視図である。
【符号の説明】
【００４３】
１０、３０、５０、７０  デバイダ
１２、３２、５２  ローラ・ユニット
１４、３４、５４  ローラ
１６  前方支持具
１８、３８、５８  後方支持具
２０  先端部
２２、４２、６２、８０  作業用ハンドル
２４、４４、６４、７８  車輪
２６  そらせ板
２７、４８、７６  そらせ用鉄棒
２８  そり
【要約】
【課題】  玉ねぎの収穫作業において効率的な根切り作業を可能にするデバイダを提供することである。
【解決手段】  進行方向に向かって収束するように配置された状態で回転可能に支持された複数基のローラ（１４）を有するローラ・ユニット（１２）を備えていることを特徴とする、玉ねぎの根切り作業を行うためのデバイダ（１０）が提供される。好ましくは、デバイダは、ローラ・ユニットの先端に配置された、ほぼ円錐形又はｎ角錐形（ｎ≧３）の先端部（２０）を備えている。
【選択図】  図１【図１】
0004244069.tif 000002
【図２】
0004244069.tif 000003
【図３】
0004244069.tif 000004
【図４】
0004244069.tif 000005
【図５】
0004244069.tif 000006
【図６】
0004244069.tif 000007
【図７】
0004244069.tif 000008
【図８】
0004244069.tif 000009
【図９】
0004244069.tif 000010
【図１０】
0004244069.tif 000011
【図１１】
0004244069.tif 000012
【図１２】
0004244069.tif 000013
【図１３】
0004244069.tif 000014
【図１４】
0004244069.tif 000015
【図１５】
0004244069.tif 000016
【図１６】
0004244069.tif 000017